(57)【要約】【課題】  広告主の希望するタイミングで、広告主が配信を希望する広告を、ユーザの携帯端末に配信する番組広告配信方法及び装置、プログラムを提供する。【解決手段】  本発明の番組広告配信方法は、携帯端末５から携帯端末識別ＩＤと、録画する番組の情報である番組録画予約情報を受信するステップＳ１３を有する。また、ステップＳ１３で受信した番組録画予約情報を、番組蓄積装置６に送信するステップＳ１４を有する。また、ステップＳ１３で受信した携帯端末識別ＩＤと番組録画予約情報に基づいて、メモリ内に記憶されている広告を選択するステップＳ１５及びＳ１６を有する。また、番組の放送の開始後にステップＳ１５及びＳ１６で選択された広告を、携帯端末５に対してメールで送信するステップＳ１７を有する。【選択図】図１
2006019800.tif 000002
【特許請求の範囲】
【請求項１】
番組を録画することが可能な番組蓄積装置にネットワークを介して接続されるとともに、予めメモリ内に記憶された広告を、携帯端末から送信される番組録画予約情報を基に、前記携帯端末に配信するサーバの番組広告配信方法において、
前記携帯端末から携帯端末識別ＩＤと、録画する番組の情報である番組録画予約情報を受信する第１のステップと、
前記第１のステップで受信した番組録画予約情報を、前記番組蓄積装置に送信する第２のステップと、
前記第１のステップで受信した携帯端末識別ＩＤと番組録画予約情報に基づいて、前記メモリ内に記憶されている広告を選択する第３のステップと、
前記番組の放送の開始後に前記第３のステップで選択された広告を、前記携帯端末に対してメールで送信する第４のステップと、
を有することを特徴とする番組広告配信方法。
【請求項２】
予めメモリ内に記憶された広告を、携帯端末から送信される番組録画予約情報を基に、前記携帯端末に配信するサーバの番組広告配信方法において、
前記携帯端末から携帯端末識別ＩＤと、録画する番組の情報である番組録画予約情報を受信する第１のステップと、
前記第１のステップで受信した携帯端末識別ＩＤと番組録画予約情報に基づいて、前記メモリ内に記憶されている広告を選択する第２のステップと、
前記番組の放送の開始後に前記第２のステップで選択された広告を、前記携帯端末に対してメールで送信する第３のステップと、
を有することを特徴とする番組広告配信方法。
【請求項３】
番組を録画することが可能な番組蓄積装置にネットワークを介して接続されるとともに、予めメモリ内に記憶された広告を、前記番組蓄積装置から送信される番組録画予約情報を基に、携帯端末に配信するサーバの番組広告配信方法において、
前記番組蓄積装置から、前記携帯端末を識別する番号である携帯端末識別ＩＤと、録画する番組の情報である番組録画予約情報を受信する第１のステップと、
前記第１のステップで受信した携帯端末識別ＩＤと番組録画予約情報に基づいて、前記メモリ内に記憶されている広告を選択する第２のステップと、
前記番組の放送の開始後に前記第２のステップで選択された広告を、前記携帯端末に対してメールで送信する第３のステップと、
を有することを特徴とする番組広告配信方法。
【請求項４】
番組を録画することが可能な番組蓄積装置にネットワークを介して接続されるとともに、予めメモリ内に記憶された広告を、前記番組蓄積装置から送信される番組録画予約情報を基に、携帯端末に配信するサーバの番組広告配信方法において、
前記番組蓄積装置から、前記携帯端末を識別する番号である携帯端末識別ＩＤと、録画する番組の情報である番組録画予約情報を受信する第１のステップと、
前記第１のステップで受信した携帯端末識別ＩＤと番組録画予約情報に基づいて、前記メモリ内に記憶されている広告を選択する第２のステップと、
前記番組蓄積装置から、番組の視聴が開始されたことを示す情報である番組視聴開始情報を受信する第３のステップと、
前記第３のステップで番組視聴開始情報を受信した後に、前記第２のステップで選択された広告を、前記携帯端末に対してメールで送信する第４のステップと、
を有することを特徴とする番組広告配信方法。
【請求項５】
予めメモリ内に記憶された広告を、携帯端末から送信される番組録画予約情報を基に、前記携帯端末に配信するサーバの番組広告配信方法において、
前記携帯端末から、携帯端末識別ＩＤと、録画する番組の情報である番組録画予約情報を受信する第１のステップと、
前記第１のステップで受信した携帯端末識別ＩＤと番組録画予約情報に基づいて、前記メモリ内に記憶されている広告を選択する第２のステップと、
前記携帯端末から、番組の視聴が開始されたことを示す情報である番組視聴開始情報を受信する第３のステップと、
前記第３のステップで番組視聴開始情報を受信した後に、前記第２のステップで選択された広告を、前記携帯端末に対してメールで送信する第４のステップと、
を有することを特徴とする番組広告配信方法。
【請求項６】
番組を録画することが可能な番組蓄積装置にネットワークを介して接続されるとともに、予めメモリ内に記憶された広告を、前記番組蓄積装置から送信される番組視聴開始情報を基に、携帯端末に配信するサーバの番組広告配信方法において、
前記番組蓄積装置から、携帯端末識別ＩＤと、番組の視聴が開始されたことを示す情報である番組視聴開始情報を受信する第１のステップと、
前記第１のステップで受信した携帯端末識別ＩＤと番組視聴開始情報に基づいて、前記メモリ内に記憶されている広告を選択する第２のステップと、
前記第１のステップで番組視聴開始情報を受信した後に、前記第２のステップで選択された広告を、前記携帯端末に対してメールで送信する第３のステップと、
を有することを特徴とする番組広告配信方法。
【請求項７】
予めメモリ内に記憶された広告を、携帯端末から送信される番組視聴開始情報を基に、前記携帯端末に配信するサーバの番組広告配信方法において、
前記携帯端末から、携帯端末識別ＩＤと、番組の視聴が開始されたことを示す情報である番組視聴開始情報を受信する第１のステップと、
前記第１のステップで受信した携帯端末識別ＩＤと番組視聴開始情報に基づいて、前記メモリ内に記憶されている広告を選択する第２のステップと、
前記第１のステップで番組視聴開始情報を受信した後に、前記第２のステップで選択された広告を、前記携帯端末に対してメールで送信する第３のステップと、
を有することを特徴とする番組広告配信方法。
【請求項８】
予めメモリ内に記憶された広告を、携帯端末から送信される番組視聴開始情報を基に、前記携帯端末に配信する番組広告配信装置において、
前記携帯端末から携帯端末識別ＩＤと、録画する番組の情報である番組録画予約情報を受信するデータ受信手段と、
前記データ受信手段が受信した番組録画予約情報を、前記番組蓄積装置に送信する番組録画予約情報送信手段と、
前記データ受信手段が受信した携帯端末識別ＩＤと番組録画予約情報に基づいて、前記メモリ内に記憶されている広告を選択する広告選択手段と、
前記番組の放送の開始後に前記広告選択手段により選択された広告を、前記携帯端末に対してメールで送信するメール送信手段と、
を有することを特徴とする番組広告配信装置。
【請求項９】
番組を録画することが可能な番組蓄積装置にネットワークを介して接続されるとともに、予めメモリ内に記憶された広告を、前記番組蓄積装置から送信される番組視聴開始情報を基に、携帯端末に配信する番組広告配信装置において、
前記番組蓄積装置から、前記携帯端末を識別する番号である携帯端末識別ＩＤと、録画する番組の情報である番組録画予約情報を受信するデータ受信手段と、
前記データ受信手段が受信した携帯端末識別ＩＤと番組録画予約情報に基づいて、前記メモリ内に記憶されている広告を選択する広告選択手段と、
前記番組蓄積装置から、番組の視聴が開始されたことを示す情報である番組視聴開始情報を受信する番組視聴開始情報受信手段と、
前記番組視聴開始情報受信手段で番組視聴開始情報が受信された後に、前記広告選択手段により選択された広告を、前記携帯端末に対してメールで送信するメール送信手段と、
を有することを特徴とする番組広告配信装置。
【請求項１０】
予めメモリ内に記憶された広告を、携帯端末から送信される番組視聴開始情報を基に、番組放送開始後に前記携帯端末に配信するコンピュータを制御するための番組広告配信プログラムであって、
前記携帯端末から携帯端末識別ＩＤと、録画する番組の情報である番組録画予約情報を受信する第１のステップと、
前記第１のステップで受信した番組録画予約情報を、前記番組蓄積装置に送信する第２のステップと、
前記第１のステップで受信した携帯端末識別ＩＤと番組録画予約情報に基づいて、前記メモリ内に記憶されている広告を選択する第３のステップと、
前記番組の放送の開始後に前記第３のステップで選択された広告を、前記携帯端末に対してメールで送信する第４のステップと、
をコンピュータに実行させるための番組広告配信プログラム。
【請求項１１】
番組を録画することが可能な番組蓄積装置にネットワークを介して接続されるとともに、予めメモリ内に記憶された広告を、前記番組蓄積装置から送信される番組視聴開始情報を基に、番組の視聴が開始された後に携帯端末に配信するコンピュータを制御するための番組広告配信プログラムであって、
前記番組蓄積装置から、前記携帯端末を識別する番号である携帯端末識別ＩＤと、録画する番組の情報である番組録画予約情報を受信する第１のステップと、
前記第１のステップで受信した携帯端末識別ＩＤと番組録画予約情報に基づいて、前記メモリ内に記憶されている広告を選択する第２のステップと、
前記番組蓄積装置から、番組の視聴が開始されたことを示す情報である番組視聴開始情報を受信する第３のステップと、
前記第３のステップで番組視聴開始情報を受信した後に、前記第２のステップで選択された広告を、前記携帯端末に対してメールで送信する第４のステップと、
をコンピュータに実行させるための番組広告配信プログラム。
【発明の詳細な説明】
【技術分野】
【０００１】
本発明は、電波やネットワーク網を利用してライブで放送、配信される番組のスポンサーである広告主の広告を、番組の視聴者に適切なタイミングで視聴者の携帯端末に配信する番組広告配信方法及び装置、プログラムに関する。
【背景技術】
【０００２】
現在、地上波などで放送される番組に関連して広告を配信する方法として、番組に対して予め広告を固定的に割り当てておき、その番組を放送する際に、その番組に割り当てられた広告を配信する方法が一般的に使用されている。
このような広告の配信方法は、不特定多数の人を対象とするものであるため、視聴者の興味が多種多様化している現在では、広告主の意図する広告効果を得ることが困難であるという問題があった。
このため、広告主には、特定の視聴者に対して、任意のタイミングで適切な情報を配信したいというニーズが存在していた。
【０００３】
情報を配信するタイミングに関する技術としては、視聴者がリアルタイムで視聴を希望する番組の放送が開始される旨を通知するメールを、番組の本放送開始前に視聴者に対して送信する方法が知られている（特許文献１）。
しかし、この方法では、放送番組に興味を持つ視聴者を特定し、番組の本放送開始時にメールを配信することはできたものの、メールを配信するタイミングを任意に指定することはできなかった。このため、視聴者が番組をビデオなどに録画した場合において、その録画した番組の視聴を開始するタイミングに合わせてメールを配信することはできなかった。
【０００４】
また、適切な広告を配信する方法としては、視聴者宅に設置されるビデオなどの番組蓄積装置内に複数の広告を蓄積しておき、視聴者の番組視聴時刻にあわせて、番組蓄積装置が表示する広告を適宜選択して表示する方法が知られている（特許文献２）。この方法では、予め番組蓄積装置に複数の広告を記憶させ、視聴者の番組視聴時刻にあわせて、複数の広告の中から適切な広告を選択して表示させることができた。
しかし、この方法では、視聴者が広告を閲覧するのは、録画した番組を視聴する時である。このため、例えば、キャンペーン情報のような時間的に制約のある広告の場合には、視聴者がキャンペーン終了後に広告を視聴してしまう可能性があった。よって、広告主が希望する期間内に視聴者に対して広告を閲覧させることができない場合があり、広告主が期待する効果が得られないという問題があった。
【特許文献１】特開２００３−３４８５６０号公報
【特許文献２】特開２００３−１６３８５０号公報
【発明の開示】
【発明が解決しようとする課題】
【０００５】
本発明は上記事情を考慮してなされたもので、その目的は、広告主の希望するタイミングで、広告主が配信を希望する広告を、ユーザの携帯端末に配信する番組広告配信方法及び装置、プログラムを提供することにある。
【課題を解決するための手段】
【０００６】
請求項１に記載の番組広告配信方法は、番組を録画することが可能な番組蓄積装置にネットワークを介して接続されるとともに、予めメモリ内に記憶された広告を、携帯端末から送信される番組録画予約情報を基に、前記携帯端末に配信するサーバの番組広告配信方法において、前記携帯端末から携帯端末識別ＩＤと、録画する番組の情報である番組録画予約情報を受信する第１のステップと、前記第１のステップで受信した番組録画予約情報を、前記番組蓄積装置に送信する第２のステップと、前記第１のステップで受信した携帯端末識別ＩＤと番組録画予約情報に基づいて、前記メモリ内に記憶されている広告を選択する第３のステップと、前記番組の放送の開始後に前記第３のステップで選択された広告を、前記携帯端末に対してメールで送信する第４のステップとを有することを特徴とする。
【０００７】
また、請求項２に記載の番組広告配信方法は、予めメモリ内に記憶された広告を、携帯端末から送信される番組録画予約情報を基に、前記携帯端末に配信するサーバの番組広告配信方法において、前記携帯端末から携帯端末識別ＩＤと、録画する番組の情報である番組録画予約情報を受信する第１のステップと、前記第１のステップで受信した携帯端末識別ＩＤと番組録画予約情報に基づいて、前記メモリ内に記憶されている広告を選択する第２のステップと、前記番組の放送の開始後に前記第２のステップで選択された広告を、前記携帯端末に対してメールで送信する第３のステップとを有することを特徴とする。
【０００８】
また、請求項３に記載の番組広告配信方法は、番組を録画することが可能な番組蓄積装置にネットワークを介して接続されるとともに、予めメモリ内に記憶された広告を、前記番組蓄積装置から送信される番組録画予約情報を基に、携帯端末に配信するサーバの番組広告配信方法において、前記番組蓄積装置から、前記携帯端末を識別する番号である携帯端末識別ＩＤと、録画する番組の情報である番組録画予約情報を受信する第１のステップと、前記第１のステップで受信した携帯端末識別ＩＤと番組録画予約情報に基づいて、前記メモリ内に記憶されている広告を選択する第２のステップと、前記番組の放送の開始後に前記第２のステップで選択された広告を、前記携帯端末に対してメールで送信する第３のステップとを有することを特徴とする。
【０００９】
また、請求項４に記載の番組広告配信方法は、番組を録画することが可能な番組蓄積装置にネットワークを介して接続されるとともに、予めメモリ内に記憶された広告を、前記番組蓄積装置から送信される番組録画予約情報を基に、携帯端末に配信するサーバの番組広告配信方法において、前記番組蓄積装置から、前記携帯端末を識別する番号である携帯端末識別ＩＤと、録画する番組の情報である番組録画予約情報を受信する第１のステップと、前記第１のステップで受信した携帯端末識別ＩＤと番組録画予約情報に基づいて、前記メモリ内に記憶されている広告を選択する第２のステップと、前記番組蓄積装置から、番組の視聴が開始されたことを示す情報である番組視聴開始情報を受信する第３のステップと、前記第３のステップで番組視聴開始情報を受信した後に、前記第２のステップで選択された広告を、前記携帯端末に対してメールで送信する第４のステップとを有することを特徴とする。
【００１０】
また、請求項５に記載の番組広告配信方法は、予めメモリ内に記憶された広告を、携帯端末から送信される番組録画予約情報を基に、前記携帯端末に配信するサーバの番組広告配信方法において、前記携帯端末から、携帯端末識別ＩＤと、録画する番組の情報である番組録画予約情報を受信する第１のステップと、前記第１のステップで受信した携帯端末識別ＩＤと番組録画予約情報に基づいて、前記メモリ内に記憶されている広告を選択する第２のステップと、前記携帯端末から、番組の視聴が開始されたことを示す情報である番組視聴開始情報を受信する第３のステップと、前記第３のステップで番組視聴開始情報を受信した後に、前記第２のステップで選択された広告を、前記携帯端末に対してメールで送信する第４のステップとを有することを特徴とする。
【００１１】
また、請求項６に記載の番組広告配信方法は、番組を録画することが可能な番組蓄積装置にネットワークを介して接続されるとともに、予めメモリ内に記憶された広告を、前記番組蓄積装置から送信される番組視聴開始情報を基に、携帯端末に配信するサーバの番組広告配信方法において、前記番組蓄積装置から、携帯端末識別ＩＤと、番組の視聴が開始されたことを示す情報である番組視聴開始情報を受信する第１のステップと、前記第１のステップで受信した携帯端末識別ＩＤと番組視聴開始情報に基づいて、前記メモリ内に記憶されている広告を選択する第２のステップと、前記第１のステップで番組視聴開始情報を受信した後に、前記第２のステップで選択された広告を、前記携帯端末に対してメールで送信する第３のステップとを有することを特徴とする。
【００１２】
また、請求項７に記載の番組広告配信方法は、予めメモリ内に記憶された広告を、携帯端末から送信される番組視聴開始情報を基に、前記携帯端末に配信するサーバの番組広告配信方法において、前記携帯端末から、携帯端末識別ＩＤと、番組の視聴が開始されたことを示す情報である番組視聴開始情報を受信する第１のステップと、前記第１のステップで受信した携帯端末識別ＩＤと番組視聴開始情報に基づいて、前記メモリ内に記憶されている広告を選択する第２のステップと、前記第１のステップで番組視聴開始情報を受信した後に、前記第２のステップで選択された広告を、前記携帯端末に対してメールで送信する第３のステップとを有することを特徴とする。
【００１３】
また、請求項８に記載の番組広告配信装置は、予めメモリ内に記憶された広告を、携帯端末から送信される番組視聴開始情報を基に、前記携帯端末に配信する番組広告配信装置において、前記携帯端末から携帯端末識別ＩＤと、録画する番組の情報である番組録画予約情報を受信するデータ受信手段と、前記データ受信手段が受信した番組録画予約情報を、前記番組蓄積装置に送信する番組録画予約情報送信手段と、前記データ受信手段が受信した携帯端末識別ＩＤと番組録画予約情報に基づいて、前記メモリ内に記憶されている広告を選択する広告選択手段と、前記番組の放送の開始後に前記広告選択手段により選択された広告を、前記携帯端末に対してメールで送信するメール送信手段とを有することを特徴とする。
【００１４】
また、請求項９に記載の番組広告配信装置は、番組を録画することが可能な番組蓄積装置にネットワークを介して接続されるとともに、予めメモリ内に記憶された広告を、前記番組蓄積装置から送信される番組視聴開始情報を基に、携帯端末に配信する番組広告配信装置において、前記番組蓄積装置から、前記携帯端末を識別する番号である携帯端末識別ＩＤと、録画する番組の情報である番組録画予約情報を受信するデータ受信手段と、前記データ受信手段が受信した携帯端末識別ＩＤと番組録画予約情報に基づいて、前記メモリ内に記憶されている広告を選択する広告選択手段と、前記番組蓄積装置から、番組の視聴が開始されたことを示す情報である番組視聴開始情報を受信する番組視聴開始情報受信手段と、前記番組視聴開始情報受信手段で番組視聴開始情報が受信された後に、前記広告選択手段により選択された広告を、前記携帯端末に対してメールで送信するメール送信手段とを有することを特徴とする。
【００１５】
また、請求項１０に記載の番組広告配信プログラムは、予めメモリ内に記憶された広告を、携帯端末から送信される番組視聴開始情報を基に、番組放送開始後に前記携帯端末に配信するコンピュータを制御するための番組広告配信プログラムであって、前記携帯端末から携帯端末識別ＩＤと、録画する番組の情報である番組録画予約情報を受信する第１のステップと、前記第１のステップで受信した番組録画予約情報を、前記番組蓄積装置に送信する第２のステップと、前記第１のステップで受信した携帯端末識別ＩＤと番組録画予約情報に基づいて、前記メモリ内に記憶されている広告を選択する第３のステップと、前記番組の放送の開始後に前記第３のステップで選択された広告を、前記携帯端末に対してメールで送信する第４のステップとをコンピュータに実行させる。
【００１６】
また、請求項１１に記載の番組広告配信プログラムは、番組を録画することが可能な番組蓄積装置にネットワークを介して接続されるとともに、予めメモリ内に記憶された広告を、前記番組蓄積装置から送信される番組視聴開始情報を基に、番組の視聴が開始された後に携帯端末に配信するコンピュータを制御するための番組広告配信プログラムであって、前記番組蓄積装置から、前記携帯端末を識別する番号である携帯端末識別ＩＤと、録画する番組の情報である番組録画予約情報を受信する第１のステップと、前記第１のステップで受信した携帯端末識別ＩＤと番組録画予約情報に基づいて、前記メモリ内に記憶されている広告を選択する第２のステップと、前記番組蓄積装置から、番組の視聴が開始されたことを示す情報である番組視聴開始情報を受信する第３のステップと、前記第３のステップで番組視聴開始情報を受信した後に、前記第２のステップで選択された広告を、前記携帯端末に対してメールで送信する第４のステップとをコンピュータに実行させる。
【発明の効果】
【００１７】
請求項１に記載の番組広告配信方法によれば、サーバが受信する携帯端末識別ＩＤや番組録画予約情報に基づいて、メモリ内に予め記憶された広告の中から携帯端末に送信する広告を選択し、番組の放送開始後に、サーバから携帯端末に広告メールを送信するようにした。よって、キャンペーン情報などの時間的制約のある広告をキャンペーン期間内に配信することが可能となり、広告の効果を高めることができる。
【００１８】
また、請求項２に記載の番組広告配信方法によれば、番組蓄積装置をネットワークに接続する必要がないため、請求項１に記載の番組広告配信方法と比較して、より簡単な構成の番組蓄積装置を用いて、番組広告配信方法を実現することができる。
【００１９】
また、請求項３に記載の番組広告配信方法によれば、サーバが携帯端末からデータを受け取る必要がないため、請求項１に記載の番組広告配信方法と比較して、より簡単な構成の携帯端末を用いて、番組広告配信方法を実現することができる。
【００２０】
また、請求項４に記載の番組広告配信方法によれば、サーバが受信する番組録画予約情報に基づいて、メモリ内に予め記憶された広告の中から携帯端末に送信する広告を選択し、番組視聴開始情報が受信された後に、サーバから携帯端末に広告メールを送信するようにした。よって、視聴者が番組の視聴を開始した時刻などに合わせて、広告メールを送信することが可能となり、広告の効果を高めることができる。
【００２１】
また、請求項５に記載の番組広告配信方法によれば、番組蓄積装置をネットワークに接続する必要がないため、請求項４に記載の番組広告配信方法と比較して、より簡単な構成の番組蓄積装置を用いて、番組広告配信方法を実現することができる。
【００２２】
また、請求項６に記載の番組広告配信方法によれば、「番組録画予約情報」を使用せず、「番組視聴開始情報」を使用して、視聴者の携帯端末に広告のメールを配信するようにした。よって、請求項４に記載の番組広告配信方法と比較して、より簡単なシステムを用いて、番組広告配信方法を実現することができる。
【００２３】
また、請求項７に記載の番組広告配信方法によれば、「番組録画予約情報」を使用せず、「番組視聴開始情報」を使用して、視聴者の携帯端末に広告のメールを配信するようにした。よって、請求項５に記載の番組広告配信方法と比較して、より簡単なシステムを用いて、番組広告配信方法を実現することができる。
【発明を実施するための最良の形態】
【００２４】
図１は、本発明の第１の実施形態による番組広告配信方法を実現するためのシステムの構成を示した図である。
本システムは、携帯端末５、番組蓄積装置６、ＥＰＧ（Electronic Program Guide）サーバ７、番組表ＤＢ８、サービスサーバ９により構成される。
サービスサーバ９は、コンテンツＤＢ（Data Base）１、配信予定・履歴ＤＢ２、ユーザＤＢ３、情報収集・広告配信サーバ４により構成される。サービスサーバ９はインターネットに接続され、ネットワークを介して、携帯端末５や番組蓄積装置６とデータのやり取りを行うことが可能である。
【００２５】
コンテンツＤＢ１は番組に関する情報や、視聴者の携帯端末５に配信される広告などの情報を格納するデータベースである。コンテンツＤＢ１には、番組テーブル１ａ、広告主テーブル１ｂ、番組広告関連テーブル１ｃ、ＣＭテーブル１ｄがそれぞれ記録される。
番組テーブル１ａに記録されるデータを図２（ａ）に示す。また、番組テーブル１ａに記録されるデータの属性の説明をまとめた表を図２（ｂ）に示す。
図２（ａ）に示すように、番組テーブル１ａには、「番組ＩＤ」、「番組名」、「開始時間」、「終了時間」、「チャンネル」の情報がそれぞれ対応付けられて記録される。
【００２６】
「番組ＩＤ」には、それぞれの番組を識別するために、番組毎に割り当てられる識別ＩＤが記録される。例えば、「番組ＩＤ」として「１０」というデータが記録される。
また、「番組名」には、放送される番組の番組名が記録される。例えば、「番組名」として「ａａａａａ」というデータが記録される。
また、「開始時間」には、番組の放送が開始される時間が記録される。例えば、２００４年３月４日の２１時３０分から番組が開始するとすれば、「開始時間」として「２００４／０３／０４／２１３０」などのデータが記録される。
【００２７】
また、「終了時間」には、番組の放送が終了する時間が記録される。例えば、２００４年３月４日の２３時３０分に番組が終了するとすれば、「終了時間」として「２００４／０３／０４／２３３０」などのデータが記録される。
また、「チャンネル」には、番組が放送されるチャンネルが記録される。例えば、番組が４チャンネルで放送されるならば、「チャンネル」として「４ｃｈ」などのデータが記録される。
なお、図２（ｂ）の表の「キー」という項目には、「主キー」や「外部キー」に関するデータが記録される。「主キー」は、各テーブル内のレコードの一意性を保証するフィールドを表すものである。また、「外部キー」は、他のテーブルとの関係で、どのテーブルを参照しているか、あるいは、どのテーブルから参照されているかを表すものである。各々のテーブルの参照関係については、後に、図９を用いて説明する。
【００２８】
次に、広告主テーブル１ｂに記録されるデータを図３（ａ）に示す。また、広告主テーブル１ｂに記録されるデータの属性の説明をまとめた表を図３（ｂ）に示す。
図３（ａ）に示すように、広告主テーブル１ｂには、「広告主ＩＤ」、「広告主名」、「カテゴリ」の情報がそれぞれ対応付けられて記録される。
「広告主ＩＤ」には、それぞれの広告主を識別するために、広告主毎に割り当てられる識別ＩＤが記録される。例えば、「広告主ＩＤ」として「１０」というデータが記録される。
また、「広告主名」には、広告を配信する主体である広告主の名前が記録される。例えば、「広告主名」として「Ａ社」というデータが記録される。
また、「カテゴリ」には、広告主が属する業界のカテゴリが記録される。例えば、Ａ社がスポーツの業界に属する広告主（スポンサー）である場合には、「カテゴリ」として「スポーツ」というデータが記録される。
【００２９】
番組広告関連テーブル１ｃに記録されるデータを図４（ａ）に示す。また、番組広告関連テーブル１ｃに記録されるデータの属性の説明を図４（ｂ）に示す。
図４（ａ）に示すように、番組広告関連テーブル１ｃには、「番組ＩＤ」、「広告主ＩＤ」、「配信方法」、「配信タイミング」の情報がそれぞれ対応付けられて記録される。
「番組ＩＤ」には、番組テーブル１ａ（図２）の「番組ＩＤ」への参照キーが記録される。例えば、「番組ＩＤ」として「１０」というデータが記録される。
また、「広告主ＩＤ」には、広告主テーブル１ｂの「広告主ＩＤ」への参照キーが記録される。例えば、「広告主ＩＤ」として「１０」というデータが記録される。
【００３０】
「配信方法」には、ＣＭの配信方法を指定するためのデータが記録される。本発明の実施形態では「Ｌｉｖｅ」と「Ｖｉｅｗ」の２種類の配信方法を用いている。
なお、本願明細書において、Ｌｉｖｅ配信とは、サービスサーバ９が、携帯端末５のＩＤにより識別される視聴者からの「番組録画予約情報」に基づいて、番組の広告を、番組の本放送開始時や、本放送開始からある時間経過した後に視聴者の携帯端末へメールで配信する方法をいうものとする。また、Ｖｉｅｗ配信とは、サービスサーバ９が、携帯端末５のＩＤにより識別される視聴者からの「番組視聴開始情報」に基づいて、番組の広告を、視聴者が番組の視聴を開始した時に、視聴者の携帯端末５へメールで配信する方法をいうものとする。
番組広告配信方法が、Ｌｉｖｅ配信の場合については第１〜第３の実施形態において、また、番組広告配信方法が、Ｖｉｅｗの場合については第４〜第７の実施形態において、それぞれ詳細に説明する。
【００３１】
ＣＭテーブル１ｄに記録されるデータを図５（ａ）に示す。また、ＣＭテーブル１ｄに記録されるデータの属性の説明をまとめた表を図５（ｂ）に示す。
図５（ａ）に示すように、ＣＭテーブル１ｄには、「ＣＭＩＤ」、「広告主ＩＤ」、「カテゴリ」、「有効期限」、「データ実体」の情報がそれぞれ対応付けられて記録される。
「ＣＭＩＤ」には、それぞれのＣＭを識別するために、ＣＭごとに割り当てられるＩＤが記録される。例えば、「ＣＭＩＤ」には、「１」というデータが記録される。
また、「広告主ＩＤ」には、広告主テーブル１ｂ（図３）の「広告主ＩＤ」への参照キーが記録される。例えば、「広告主ＩＤ」には、「１０」というデータが記録される。
【００３２】
また、「カテゴリ」には、ＣＭの内容がどの分野のカテゴリに属するかが記録される。例えば、ＣＭの内容が野球に関するものであれば、「カテゴリ」として「野球」というデータが記録される。
また、「有効期限」には、そのＣＭの有効期限が記録される。例えば、２００４年４月４日まで有効なＣＭであるならば、「有効期限」として「２００４／０４／０４」のようなデータが記録される。「有効期限」のデータをＣＭテーブル１ｄに記録することにより、キャンペーン情報などのような特定の時期を経過すると配信する意味がなくなる広告を、有効期限内に配信するように管理することができる。
「データ実体」には、実際に携帯端末５に配信されるメール広告のメディアのファイル名が記録される。例えば、「データ実体」として「ｘｘｘ．ｔｘｔ」のようなデータが記録される。
【００３３】
次に、配信予定・履歴ＤＢ２について説明する。配信予定・履歴ＤＢ２は、視聴者がサービスサーバ９に送信する番組録画予約情報をもとに生成される広告の配信予定情報を格納したり、広告の配信履歴を格納するデータベースである。
配信予定・履歴ＤＢ２には、広告配信予定テーブル２ａ、広告配信履歴テーブル２ｂ、がそれぞれ記録される。
広告配信予定テーブル２ａに記録されるデータを図６（ａ）に示す。また、広告配信予定テーブル２ｂに記録されるデータの属性の説明をまとめた表を図６（ｂ）に示す。
図６（ａ）に示すように、広告配信予定テーブル２ａには、「携帯端末識別ＩＤ」、「広告主ＩＤ」、「番組ＩＤ」、「配信予定時間」の情報がそれぞれ対応付けられて記録される。
【００３４】
「携帯端末識別ＩＤ」には、それぞれの携帯端末５を識別するために各端末に割り当てられる識別ＩＤが記録される。例えば、「携帯端末識別ＩＤ」として、「０００００１」というデータが記録される。
また、「広告主ＩＤ」には、広告主テーブル１ｂ（図３）の「広告主ＩＤ」への参照キーが記録される。例えば、「広告主ＩＤ」として、「１０」というデータが記録される。
また、「番組ＩＤ」には、番組テーブル１ａ（図２）の「番組ＩＤ」への参照キーが記録される。例えば、「番組ＩＤ」として、「１０」というデータが記録される。
また、「配信予定時間」には、広告を視聴者の携帯端末５に対して配信する時間が記録される。例えば、広告主が２００４年３月２４日の１８時に、視聴者の携帯端末５に対して広告を配信したいならば、「配信予定時間」として、「２００４／０３／２４／１８００」などのデータが記録される。
【００３５】
広告配信履歴テーブル２ｂに記録されるデータを図７（ａ）に示す。また、広告配信履歴テーブル２ｂに記録されるデータの属性の説明を図７（ｂ）に示す。
図７（ａ）に示すように、広告配信履歴テーブル２ｂには、「携帯端末識別ＩＤ」、「ＣＭＩＤ」、「配信時刻」の情報がそれぞれ対応付けられて記録される。
「携帯端末識別ＩＤ」には、ユーザテーブル（３ａ）に記録される携帯端末５の端末固有の識別ＩＤが記録される。例えば、「携帯端末識別ＩＤ」として、「０００００１」というデータが記録される。
【００３６】
また、「ＣＭＩＤ」には、ＣＭテーブル１ｄ（図５）の「ＣＭＩＤ」への参照キーが記録される。例えば、「ＣＭＩＤ」として、「１」というデータが記録される。
また、「配信時刻」には、視聴者の携帯端末５に対して、実際に広告を配信した時間のデータが記録される。例えば、２００４年３月８日の１８時００分に、視聴者の携帯端末５に広告を配信した場合には、「配信時刻」として、「２００４／０３／０８／１８００」などのデータが記録される。
【００３７】
次に、ユーザＤＢ３について説明する。ユーザＤＢ３は、ユーザＩＤやメールアドレスなどの視聴者のプロファイル情報を格納するデータベースである。なお、本発明の実施形態では、視聴者のプロファイル情報として、「携帯端末識別ＩＤ」を用いる場合について説明する。
ユーザＤＢ３には、ユーザテーブル３ａが記録される。ユーザテーブル３ａに記録されるデータを図８（ａ）に示す。また、ユーザテーブル３ａに記録されるデータの属性の説明をまとめた表を図８（ｂ）に示す。
図８（ａ）に示すように、ユーザテーブル３ａには、「携帯端末識別ＩＤ」、「嗜好情報」、「Ｅ−ｍａｉｌ」、「番組蓄積装置ＩＰアドレス」の情報がそれぞれ対応付けられて記録される。
【００３８】
「携帯端末識別ＩＤ」には、視聴者が保持する携帯端末５に固有の識別ＩＤが記録される。例えば、「携帯端末識別ＩＤ」として、「０００００１」というデータが記録される。
また、「嗜好情報」には、現在までの視聴者の視聴履歴から抽出された視聴者の嗜好に関するデータが記録される。例えば、視聴者が野球番組を多く視聴している場合には、「嗜好情報」として、「野球」というデータが記録される。
また、「Ｅ−ｍａｉｌ」には、視聴者の携帯端末５のＥ−ｍａｉｌアドレスが記録される。例えば、「Ｅ−ｍａｉｌ」として、「ａｄｍｉｎ＠ｘｘｘｘ」というデータが記録される。
また、「番組蓄積装置ＩＰアドレス」には、ユーザの利用している番組蓄積装置６のＩＰアドレスが記録される。例えば、「番組蓄積装置ＩＰアドレス」として、「６１．１３３．１．１」というデータが記録される。
【００３９】
図９は、上述したコンテンツＤＢ１、配信予定・履歴ＤＢ２、ユーザＤＢ３に記録される番組テーブル１ａ、広告主テーブル１ｂ、番組広告関連テーブル１ｃ、ＣＭテーブル１ｄ、広告配信予定テーブル２ａ、広告配信履歴テーブル２ｂ、ユーザテーブル３ａ間の関係を示した図である。図９において、矢印が出ている側のテーブルが、矢印が向かっている側のテーブルのデータ（ＣＭＩＤ、広告主ＩＤ、番組ＩＤ、携帯端末識別ＩＤのいずれか）を参照していることを示している。
【００４０】
次に、情報収集・広告配信サーバ４について説明する。情報収集・広告配信サーバ４は、携帯端末５、番組蓄積装置６から送信されるデータを受信して、コンテンツＤＢ１、配信予定・履歴ＤＢ２、ユーザＤＢ３などのデータベースに受信データを蓄積したり、広告主の指定した配信方法に合わせて、視聴者の携帯端末５に広告の配信を行う。
次に、携帯端末５について説明する。携帯端末５は、視聴者が常時携帯していることが多い端末であり、例えば、携帯電話などの端末である。携帯端末５は、携帯端末５上で動作するアプリケーションを利用して、番組録画予約情報などのデータを情報収集・広告配信サーバ４へ送信する。また、本実施形態による携帯端末５は、赤外線を発光する機能を有しており、番組蓄積装置６に対して赤外線によりデータを送信したり、番組蓄積装置６の操作を行う。
なお、携帯端末５としては、赤外線を発光する機能、インターネットに接続する機能、これらの機能を制御するプログラムを実行する機能を有する機器であれば、携帯端末以外の機器でも利用することができる。
【００４１】
次に、番組蓄積装置６について説明する。番組蓄積装置６は、携帯端末５から送信されるデータを受信して、視聴者に対して番組を表示したり、番組の録画予約や録画済み番組の再生などを行う。なお、番組蓄積装置６としては、番組を録画するためのハードディスクを有するＳＴＢ（Set Top Box）などを用いることができる。
次に、ＥＰＧサーバ７について説明する。ＥＰＧサーバ７は、番組表を管理し、携帯端末５からのリクエストに基づいて、最新の番組表を携帯端末５に対して配信する。番組表は、番組コンテンツをサービスサーバ９に登録すると自動的に作成される。
次に、番組表ＤＢ８について説明する。番組表ＤＢ８は、番組表に関する情報を格納するデータベースである。番組表ＤＢ８には、コンテンツＤＢ１の番組テーブル１ａ（図２）と同じ構成のデータベースが格納される。
【００４２】
次に、本発明の第１の実施形態による番組広告配信方法の具体的な処理の流れを、図１を参照して説明する。
始めに、番組制作者や広告主は、番組情報（図２（ａ）の「番組ＩＤ」、「番組名」など）、広告主情報（図３（ａ）の「広告主ＩＤ」、「広告主名」など）、ＣＭ情報（図５（ａ）の「ＣＭＩＤ」、「有効期限」など）、視聴者情報（図８（ａ）の「携帯端末識別ＩＤ」、「嗜好情報」など）等のデータの設定を行う。また、広告主は、番組広告関連テーブル（図４（ａ））の「配信方法」を設定することにより、視聴者に対して広告を配信するタイミングを指定する（ステップＳ１１）。
【００４３】
次に、視聴者は、携帯端末５に組み込まれたアプリケーションを利用して、番組表ＤＢ８からＥＰＧサーバ７を介して、携帯端末５に番組表をダウンロードする（ステップＳ１２）。
携帯端末５がＥＰＧサーバ７から取得した番組表は、携帯端末５のメモリに保存される。ＥＰＧサーバ７から携帯端末５に新しい番組表がダウンロードされた場合には、新しい番組表に更新される。
次に、視聴者は、携帯端末５のメモリに記録されている番組表を参照して、番組蓄積装置６に録画予約する番組を選択する。録画予約した番組情報は「番組録画予約情報」として、携帯端末５のメモリに逐次保存される。また、「番組録画予約情報」は、「携帯端末識別ＩＤ」のデータとともに、携帯端末５のインターネット接続機能を利用して、携帯端末５から情報収集・広告配信サーバ４に送信される（ステップＳ１３）。
なお、「番組録画予約情報」としては、番組放送時間及び番組チャンネル情報、若しくは、Ｇコードなどを用いることができる。
【００４４】
情報収集・広告配信サーバ４は、携帯端末５から送信された「携帯端末識別ＩＤ」をもとに、ユーザテーブル３ａ（図８）から視聴者の番組蓄積装置６の「番組蓄積装置ＩＰアドレス」を取得する。このＩＰアドレスに対して、サービスサーバ９は「番組録画予約情報」をインターネットを介して番組蓄積装置６に送信して、番組録画予約命令を行う（ステップＳ１４）。
情報収集・広告配信サーバ４は、携帯端末５から送信された「番組録画予約情報」をもとに番組テーブル１ａ（図２）を検索して「番組ＩＤ」のデータを取得する。次に、その「番組ＩＤ」をもとに、番組広告関連テーブル１ｃ（図４）から「広告主ＩＤ」と「配信方法」のデータを取得する。「広告主ＩＤ」の候補が複数ある場合には、視聴者のユーザテーブル３ａ（図８）の「嗜好情報」と、広告主テーブル１ｂ（図３）の「カテゴリ」を比較して、最適な「広告主ＩＤ」を選択する。
【００４５】
本実施形態では、配信方法がＬｉｖｅ配信の場合である。よって、番組広告関連テーブル１ｃ（図４）の「配信方法」は「ＬＩＶＥ」と設定されている。
番組広告関連テーブル１ｃ（図４）の「配信タイミング」から番組開始から何分後に広告を配信するかを計算し、「携帯端末識別ＩＤ」、「広告主ＩＤ」、「番組ＩＤ」、「配信予定時間」の情報を広告配信予定テーブル２ａ（図６）に出力する（ステップＳ１５）。
なお、広告主が視聴者の携帯端末５へ広告を配信することを希望していない場合には、広告の配信を行わないなどの設定を行うことも可能である。
【００４６】
広告配信予定テーブル２ａ（図６（ａ））に記録されている「配信予定時間」になると、情報収集・広告配信サーバ４は、ユーザテーブル３ａ（図８）から「携帯端末識別ＩＤ」をもとに「Ｅ−ｍａｉｌ」のアドレスを取得する。
それと同時に、配信予定の広告の広告主についての「広告主ＩＤ」をもとにＣＭテーブル１ｄ（図５）を検索して、「有効期限」を経過していない広告の「ＣＭＩＤ」を取得する（ステップＳ１６）。該当する「ＣＭＩＤ」の候補が複数ある場合には、ＣＭテーブル１ｄ（図５）の「カテゴリ」と、視聴者のユーザテーブル３ａ（図８）の「嗜好情報」を考慮して、適切な「ＣＭＩＤ」を決定する。
【００４７】
情報収集・広告配信サーバ４は、「配信予定時間」になったら、「Ｅ−ｍａｉｌ」のアドレスへ向けて、「ＣＭＩＤ」の広告のコンテンツを送信する（ステップＳ１７）。
その後、広告配信履歴テーブル２ｂ（図７）の「配信時刻」に広告を配信した時刻を記録する。
上述した第１の実施形態による番組広告配信方法によれば、携帯端末５から「番組録画予約情報」を情報収集・広告配信サーバ４に送信することで、番組の本放送中に、視聴者の携帯端末５へ番組広告をメールで配信することが可能となる。よって、キャンペーン情報などの時間的制約のある広告をキャンペーン期間内に配信することが可能であり、広告の効果を高めることができる。
【００４８】
次に、本発明の第２の実施形態による番組広告配信方法について説明する。
図１０は、本実施形態による番組広告配信方法を実現するためのシステムの構成を示した図である。本実施形態が第１の実施形態（図１）と同様の構成を取る部分については同一の符号を付して説明を省略する。本実施形態は、視聴者が視聴者宅１０内から番組蓄積装置６に対して、番組を録画予約する場合などを想定している。
番組広告配信方法の処理の流れとしては、第１の実施形態（図１）のステップＳ１１、Ｓ１２、Ｓ１３、Ｓ１５、Ｓ１６、Ｓ１７と、本実施形態（図１０）のステップＳ２１、Ｓ２２、Ｓ２４、Ｓ２５、Ｓ２６、Ｓ２７がそれぞれ対応している。しかし、第１の実施形態（図１）のステップＳ１４と、本実施形態（図１０）のステップＳ２３がそれぞれ相違している。
【００４９】
すなわち、第１の実施形態（図１）では、情報収集・広告配信サーバ４からインターネットを経由して番組蓄積装置６に「番組録画予約情報」が送信されている（ステップＳ１４）。しかし、本実施形態では、携帯端末５の赤外線の発光機能を利用して番組蓄積装置６に「番組録画予約情報」が送信されている（ステップＳ２３）点において相違する。
上述した第２の実施形態による番組広告配信方法は、視聴者が視聴者宅１０にいる場合を想定しており、携帯端末５から番組蓄積装置６に赤外線によって「番組録画予約情報」を送信する構成になっている。そのため、番組蓄積装置６をネットワークに接続する必要がなく、ネットワークに接続する機能を有しない機器を番組蓄積装置６として使用することが可能である。よって、番組広告配信方法を、より簡単な構成のシステムを用いて実現することができる。
【００５０】
次に、本発明の第３の実施形態による番組広告配信方法について説明する。
図１１は、本実施形態による番組広告配信方法を実現するためのシステムの構成を示した図である。本実施形態が第１の実施形態（図１）と同様の構成を取る部分については同一の符号を付して説明を省略する。
番組広告配信方法の処理の流れとしては、第１の実施形態（図１）のステップＳ１１、Ｓ１５、Ｓ１６、Ｓ１７と、本実施形態（図１０）のステップＳ３１、Ｓ３５、Ｓ３６、Ｓ３７がそれぞれ対応している。しかし、第１の実施形態（図１）のステップＳ１２、Ｓ１３、Ｓ１４と、本実施形態（図１１）のステップＳ３２、Ｓ３３、Ｓ３４がそれぞれ相違している。
【００５１】
すなわち、第１の実施形態（図１）では、携帯端末５がＥＰＧサーバ７からＥＰＧを取得し（ステップＳ１２）、携帯端末５から情報収集・広告配信サーバ４に対して「番組録画予約情報」等のデータを送信し（ステップＳ１３）、情報収集・広告配信サーバ４から番組蓄積装置６に対して「番組録画予約情報」が送信されていた（ステップＳ１４）。
しかし、本実施形態では、番組蓄積装置６がＥＰＧサーバ７からＥＰＧを取得する（ステップＳ３２）。また、視聴者がそのＥＰＧを参照して携帯端末５から番組蓄積装置６対して、携帯端末５の赤外線を発信する機能によって、ＥＰＧをもとに録画予約する番組を指定する（ステップＳ３３）。また、番組蓄積装置６から情報収集・広告配信サーバ４に対して「番組録画予約情報」が送信される（ステップＳ３４）。上記のような点において、第１の実施形態（図１）と本実施形態（図１１）は相違する。
【００５２】
上述した第３の実施形態による番組広告配信方法は、視聴者が視聴者宅１０にいる場合を想定しており、携帯端末５ではなく番組蓄積装置６がＥＰＧサーバ７から番組表を取得する構成になっている。また、携帯端末５は、情報収集・広告配信サーバ４からメールを受信できればよく、携帯端末５から情報収集・広告配信サーバ４に対してデータを送信する機能を必要としない。よって、携帯端末５としてＥＰＧサーバ７や情報収集・広告配信サーバ４とデータのやり取りをするアプリケーションを有しない端末を使用することが可能である。よって、番組広告配信方法を、より簡単な構成のシステムを用いて実現することができる。
【００５３】
次に、本発明の第４の実施形態による番組広告配信方法について説明する。
図１２は、本実施形態による番組広告配信方法を実現するためのシステムの構成を示した図である。本実施形態が第１の実施形態（図１）と同様の構成を取る部分については同一の符号を付して説明を省略する。
本実施形態では、番組蓄積装置６に番組を録画した視聴者が、録画した番組の視聴を開始した時に、広告を視聴者の携帯端末５に配信する方法について説明する。
始めに、番組制作者や広告主は、番組情報（図２（ａ）の「番組ＩＤ」、「番組名」など）、広告主情報（図３（ａ）の「広告主ＩＤ」、「広告主名」など）、ＣＭ情報（図５（ａ）の「ＣＭＩＤ」、「有効期限」など）、視聴者情報（図８（ａ）の「携帯端末識別ＩＤ」、「嗜好情報」など）等のデータの設定を行う。また、広告主は、番組広告関連テーブル（図４（ａ））の「配信方法」を設定することにより、視聴者に対して広告を配信するタイミングを指定する（ステップＳ４１）。
【００５４】
次に、視聴者は、携帯端末５に組み込まれたアプリケーションを利用して、番組表ＤＢ８からＥＰＧサーバ７を介して、番組蓄積装置６に番組表をダウンロードする（ステップＳ４２）。
番組蓄積装置６がＥＰＧサーバ７から取得した番組表は、番組蓄積装置６のメモリに保存される。ＥＰＧサーバ７から番組蓄積装置６に新しい番組表がダウンロードされた場合には、新しい番組表に更新される。
次に、視聴者は、番組蓄積装置６のメモリに記録されている番組表をテレビなどの表示装置で参照しながら録画予約する番組を確認する。その後、視聴者は、携帯端末５の赤外線を発光機能を利用して、携帯端末５から番組蓄積装置６に対して番組を録画予約するための「番組録画予約情報」を送信する（ステップＳ４３）。「番組録画予約情報」については携帯端末５のメモリ中に逐次蓄積される。
【００５５】
次に、「番組録画予約情報」と「携帯端末識別ＩＤ」のデータが、インターネットを経由して、番組蓄積装置６から情報収集・広告配信サーバ４に送信される（ステップＳ４４）。
情報収集・広告配信サーバ４は、番組蓄積装置６から受信した「番組録画予約情報」をもとに番組テーブル１ａ（図２）を検索して「番組ＩＤ」を取得する。次に、その「番組ＩＤ」をもとに番組広告関連テーブル１ｃ（図４）から「広告主ＩＤ」と「配信方法」のデータを取得する。「広告主ＩＤ」の候補が複数ある場合には、視聴者のユーザテーブル３ａ（図８）の「嗜好情報」と、広告主テーブル１ｂ（図３）の「カテゴリ」を比較して、最適な「広告主ＩＤ」を選択する。
【００５６】
本実施形態では、配信方法がＶｉｅｗ配信の場合である。よって、番組広告関連テーブル１ｃ（図４）の「配信方法」は「Ｖｉｅｗ」と設定されている。
次に、サービスサーバ９では、番組テーブル１ａ、広告主テーブル１ｂ、ユーザテーブル３ａにそれぞれ記録されている「番組ＩＤ」、「広告主ＩＤ」、「携帯端末識別ＩＤ」のデータが、広告配信予定テーブル２ａ（図６）に出力される（ステップＳ４５）。
なお、広告主が視聴者の携帯端末５へ広告を配信することを希望していない場合には、広告の配信を行わないなどの設定を行うことも可能である。
また、本実施形態は「配信方法」が「ＶＩＥＷ」の場合であり、広告が配信されるのは、視聴者が録画された番組の視聴を開始する時であるので、広告配信予定テーブル２ａ（図６）の「配信予定時間」のデータは設定されない。
【００５７】
その後、視聴者が録画した番組の視聴を行う場合には、携帯端末５に組み込まれるアプリケーションを利用して、携帯端末５の赤外線の発光機能により、番組蓄積装置６に対して録画した番組の視聴開始の指示を行う。
携帯端末５にはステップＳ４３で番組蓄積装置６に送信した「番組録画予約情報」が蓄積されており、視聴者はその「番組録画予約情報」を参照して、視聴する番組を選択するための「視聴番組情報」を、携帯端末５から番組蓄積装置６に対して送信する（ステップＳ４６）。
携帯端末５から番組蓄積装置６に「視聴番組情報」が送信されるのにともない、「番組視聴開始情報」と「携帯端末識別ＩＤ」のデータが、番組蓄積装置６からインターネットを経由して、情報収集・広告配信サーバ４に送信される（ステップＳ４７）。
【００５８】
情報収集・広告配信サーバ４は、番組蓄積装置６から受信した「番組視聴開始情報」をもとに番組テーブル１ａ（図２）を検索して「番組ＩＤ」を取得する。「携帯端末識別ＩＤ」と「番組ＩＤ」をもとに、広告配信予定テーブル２ａ（図６）を検索し「広告主ＩＤ」を取得する。ユーザテーブル３ａ（図８）から「携帯端末識別ＩＤ」をもとに「Ｅ−ｍａｉｌ」のアドレスを取得する。そして、配信予定の「広告主ＩＤ」をもとにＣＭテーブル１ｄ（図５）を検索して、「有効期限」を経過していない広告の「ＣＭＩＤ」を取得する（ステップＳ４８）。「ＣＭＩＤ」の候補が複数ある場合には、ＣＭテーブル１ｄ（図５）の「カテゴリ」と、視聴者のユーザテーブル３ａ（図８）の「嗜好情報」を考慮することにより、適切な「ＣＭＩＤ」を決定する。
【００５９】
情報収集・広告配信サーバ４は、「配信タイミング」に基づいて、「Ｅ−ｍａｉｌ」のアドレスへ向けて、「ＣＭＩＤ」の広告のコンテンツを送信する（ステップＳ４９）。
その後、広告配信履歴テーブル２ｂ（図７）の「配信時刻」に広告を配信した時刻を記録する。
上述した第４の実施形態による番組広告配信方法によれば、携帯端末５から「番組録画予約情報」や「番組視聴開始情報」を情報収集・広告配信サーバ４に送信することで、番組の本放送中や視聴者の番組視聴時など任意の時刻に、視聴者の携帯端末５へ番組広告をメールで配信することが可能となる。よって、視聴者が番組の視聴を開始した時刻などに合わせて、適切な広告を配信したり、キャンペーン情報などの時間的制約のある広告をキャンペーン期間内に配信することが可能であり、広告の効果を高めることができる。
【００６０】
次に、本発明の第５の実施形態による番組広告配信方法について説明する。
図１３は、本実施形態による番組広告配信方法を実現するためのシステムの構成を示した図である。本実施形態が第４の実施形態（図１２）と同様の構成を取る部分については同一の符号を付して説明を省略する。
番組広告配信方法の処理の流れとしては、第４の実施形態（図１２）のステップＳ４１、Ｓ４３、Ｓ４５、Ｓ４６、Ｓ４８、Ｓ４９と、本実施形態（図１３）のステップＳ５１、Ｓ５３、Ｓ５５、Ｓ５６、Ｓ５８、Ｓ５９がそれぞれ対応している。しかし、第４の実施形態（図１２）のステップＳ４２、Ｓ４４、Ｓ４７と、本実施形態（図１３）のステップＳ５２、Ｓ５４、Ｓ５７がそれぞれ相違している。
【００６１】
すなわち、第４の実施形態（図１２）では、番組蓄積装置６がＥＰＧサーバ７からＥＰＧを取得していた（ステップＳ４２）。また、番組蓄積装置６から情報収集・広告配信サーバ４に対して「携帯端末識別ＩＤ」及び「番組録画予約情報」が送信されていた（ステップＳ４４）。また、番組蓄積装置６から情報収集・広告配信サーバ４に対して「携帯端末識別ＩＤ」及び「番組視聴開始情報」が送信されていた（ステップＳ４７）。
しかし、本実施形態（図１３）では、携帯端末５がＥＰＧサーバ７からＥＰＧを取得している（ステップＳ５２）。また、携帯端末５から情報収集・広告配信サーバ４に対して「携帯端末識別ＩＤ」及び「番組録画予約情報」が送信される（ステップＳ５４）。また、携帯端末５から情報収集・広告配信サーバ４に対して「携帯端末識別ＩＤ」及び「番組視聴開始情報」が送信される（ステップＳ５７）。
【００６２】
上記のような点において、第４の実施形態（図１２）と本実施形態（図１３）は相違している。
上述した第５の実施形態による番組広告配信方法によれば、携帯端末５から情報収集・広告配信サーバ４に「番組録画予約情報」や「番組視聴開始情報」などのデータを送信する構成になっている。そのため、番組蓄積装置６をネットワークに接続する必要がなく、ネットワークに接続する機能を有しない機器を番組蓄積装置６として使用することが可能である。よって、番組広告配信方法を、より簡単な構成のシステムを用いて実現することができる。
【００６３】
次に、本発明の第６の実施形態による番組広告配信方法について説明する。
図１４は、本実施形態による番組広告配信方法を実現するためのシステムの構成を示した図である。本実施形態が第４の実施形態（図１２）と同様の構成を取る部分については同一の符号を付して説明を省略する。
本実施形態では、第４の実施形態のように、視聴者が録画した番組の視聴を開始した場合に、情報収集・広告配信サーバ４に対して「番組視聴開始情報」を送信するのではなく、視聴者が番組の本放送の視聴を開始した場合に、情報収集・広告配信サーバ４に対して「番組視聴開始情報」を送信する点において相違する。
【００６４】
番組広告配信方法の処理の流れとしては、第４の実施形態（図１２）のステップＳ４１、Ｓ４６、Ｓ４７、Ｓ４８、Ｓ４９と、本実施形態（図１３）のステップＳ６１、Ｓ６２、Ｓ６３、Ｓ６４、Ｓ６５がそれぞれ対応している。
すなわち、第６の実施形態（図１４）では、第４の実施形態（図１２）における、番組蓄積装置６がＥＰＧサーバ７から「ＥＰＧ」を受信する過程（ステップＳ４２）、携帯端末５から番組蓄積装置６に「番組録画予約情報」を送信する過程（ステップＳ４３）、番組蓄積装置６から情報収集・広告配信サーバ４に「携帯端末識別ＩＤ」及び「番組録画予約情報」を送信する過程（ステップＳ４４）、広告配信予定リストを作成する過程（ステップＳ４５）が存在しない点において相違している。
上述した第６の実施形態による番組広告配信方法によれば、「番組録画予約情報」を用いず、「番組視聴開始情報」を用いて視聴者の携帯端末５に広告のメールを配信するようにした。
よって、携帯端末５が、ＥＰＧサーバ７から番組表を取得する必要がなくなり、第４の実施形態と比較して、より簡単な構成のシステムを用いて番組広告配信方法を実現することができる。
【００６５】
次に、本発明の第７の実施形態による番組広告配信方法について説明する。
図１５は、本実施形態による番組広告配信方法を実現するためのシステムの構成を示した図である。本実施形態が第５の実施形態（図１３）と同様の構成を取る部分については同一の符号を付して説明を省略する。
本実施形態では、第５の実施形態のように、視聴者が録画した番組の視聴を開始した場合に、情報収集・広告配信サーバ４に対して「番組視聴開始情報」を送信するのではなく、視聴者が番組の本放送の視聴を開始した場合に、情報収集・広告配信サーバ４に対して「番組視聴開始情報」を送信する点において相違する。
【００６６】
番組広告配信方法の処理の流れとしては、第５の実施形態（図１３）のステップＳ５１、Ｓ５６、Ｓ５７、Ｓ５８、Ｓ５９と、本実施形態（図１５）のステップＳ７１、Ｓ７２、Ｓ７３、Ｓ７４、Ｓ７５がそれぞれ対応している。
すなわち、第７の実施形態（図１５）では、第５の実施形態（図１３）における、携帯端末５がＥＰＧサーバ７から「ＥＰＧ」を受信する過程（ステップＳ５２）、携帯端末５から番組蓄積装置６に「番組録画予約情報」を送信する過程（ステップＳ５３）、携帯端末５から情報収集・広告配信サーバ４に「携帯端末識別ＩＤ」及び「番組録画予約情報」を送信する過程（ステップＳ５４）、広告配信予定リストを作成する過程（ステップＳ５５）が存在しない点において相違している。
【００６７】
上述した第７の実施形態による番組広告配信方法によれば、「番組録画予約情報」を用いず、「番組視聴開始情報」を用いて視聴者の携帯端末５に広告のメールを配信するようにした。
よって、携帯端末５が、ＥＰＧサーバ７から番組表を取得する必要がなくなり、第５の実施形態と比較して、より簡単な構成のシステムを用いて番組広告配信方法を実現することができる。
なお、上記実施形態では、視聴者が番組の視聴を開始した際に１度だけ「番組視聴開始情報」を情報収集・広告配信サーバ４に送信する場合について説明したが、これに限定されるものではない。例えば、視聴者が番組を視聴している間に、定期的に番組の視聴情報を情報収集・広告配信サーバ４に送信することにより、番組の放送終了時などに視聴者の携帯端末５に対して広告を配信するように設定することもできる。
【００６８】
なお、以上説明した実施形態において、この情報収集・広告配信サーバ４、サービスサーバ９は、専用のハードウェアにより実現されるものであってもよく、また、情報収集・広告配信サーバ４、サービスサーバ９は、メモリおよびＣＰＵ（中央演算装置）により構成され、これらの機能を実現するためのプログラムをメモリにロードして実行することによりその機能を実現させるものであってもよい。
また、図１、図１０〜図１５における情報収集・広告配信サーバ４、サービスサーバ９の機能を実現するためのプログラムをコンピュータ読み取り可能な記録媒体に記録して、この記録媒体に記録されたプログラムをコンピュータシステムに読み込ませ、実行することにより携帯端末５への広告メールの配信を行ってもよい。なお、ここでいう「コンピュータシステム」とは、ＯＳや周辺機器等のハードウェアを含むものとする。
【００６９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７０】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００７１】
放送と通信を融合させたＭＭＴＶ（Media Mix TV）などの分野、より具体的には、地上波ディジタル放送、ＢＳ、ＣＳ放送、光ファイバを利用した放送、ＩＰ放送などにおけるリアルタイム放送に利用することが考えられる。
【図面の簡単な説明】
【００７２】
【図１】本発明の第１の実施形態による番組広告配信方法を示した図である。
【図２】コンテンツＤＢ１の番組テーブル１ａの構成を示す図である。
【図３】コンテンツＤＢ１の広告主テーブル１ｂの構成を示す図である。
【図４】コンテンツＤＢ１の番組広告関連テーブル１ｃの構成を示す図である。
【図５】コンテンツＤＢ１のＣＭテーブル１ｄの構成を示す図である。
【図６】配信予定・履歴ＤＢ２の広告配信予定テーブル２ａの構成を示す図である。
【図７】配信予定・履歴ＤＢ２の広告配信履歴テーブル２ｂの構成を示す図である。
【図８】ユーザＤＢ３のユーザテーブル３ａの構成を示す図である。
【図９】サービスサーバ９に記録されるテーブルについてのテーブル間関係図である。
【図１０】本発明の第２の実施形態による番組広告配信方法を示した図である。
【図１１】本発明の第３の実施形態による番組広告配信方法を示した図である。
【図１２】本発明の第４の実施形態による番組広告配信方法を示した図である。
【図１３】本発明の第５の実施形態による番組広告配信方法を示した図である。
【図１４】本発明の第６の実施形態による番組広告配信方法を示した図である。
【図１５】本発明の第７の実施形態による番組広告配信方法を示した図である。
【符号の説明】
【００７３】
１・・・コンテンツＤＢ
１ａ・・・番組テーブル
１ｂ・・・広告主テーブル
１ｃ・・・番組広告関連テーブル
１ｄ・・・ＣＭテーブル
２・・・配信予定・履歴ＤＢ
２ａ・・・広告配信予定テーブル
２ｂ・・・広告配信履歴テーブル
３・・・ユーザＤＢ
３ａ・・・ユーザテーブル
４・・・情報収集・広告配信サーバ
５・・・携帯端末
６・・・番組蓄積装置
７・・・ＥＰＧサーバ
８・・・番組表ＤＢ
９・・・サービスサーバ
１０・・・視聴者宅
【図１】
2006019800.tif 000003
【図２】
2006019800.tif 000004
【図３】
2006019800.tif 000005
【図４】
2006019800.tif 000006
【図５】
2006019800.tif 000007
【図６】
2006019800.tif 000008
【図７】
2006019800.tif 000009
【図８】
2006019800.tif 000010
【図９】
2006019800.tif 000011
【図１０】
2006019800.tif 000012
【図１１】
2006019800.tif 000013
【図１２】
2006019800.tif 000014
【図１３】
2006019800.tif 000015
【図１４】
2006019800.tif 000016
【図１５】
2006019800.tif 000017